(57)【要約】【課題】  利用者の機密やプライバシー情報等が漏洩する可能性があるＲＦＩＤタグ付き印刷用紙を判別でに、容易に廃棄できる方法およびＲＦＩＤ付き印刷用紙に既にＩＤ情報が記録済みか否かを容易に判定する方法を提供する。【解決手段】  印刷用紙に画像を印刷するときに、印刷用紙にＲＦＩＤタグが取り付けられているか否かを判別し、ＲＦＩＤタグが取り付けられてる場合には、ＲＦＩＤタグ付きであることを示す画像を印刷することにより、あるいはＲＦＩＤタグを無効にするためのＲＦＩＤタグ切断補助線などを印刷することにより、利用者が容易にＲＦＩＤタグ付きを判断できる。また、容易にＲＦＩＤタグを切断し無効化することできる。また、利用者の情報がＲＦＩＤタグに記録された場合には、ＲＦＩＤタグに情報が書き込まれたことを示すマークを印刷用紙に付与することにより、利用者が容易にＲＦＩＤタグの情報の記録の有無を認識することが可能となる。【選択図】  図５
2006218773.tif 000002
【特許請求の範囲】
【請求項１】
入力した記録信号に応じて記録材に画像を形成する画像形成装置であって、
記録のために供給された記録材に無線タグが配置されているかどうかを検出する無線タグ検出手段と、
無線タグが配置されていることを検出したとき、前記記録材に前記無線タグ在りの付加情報の記録を発生させる記録制御手段とを備えることを特徴とする画像形成装置。
【請求項２】
前記無線タグに処分が必要な有意情報が有るか否かを判定する判定手段を更に備え、
前記記録制御手段は、該判定手段が無線タグに有意情報が有ると判定した場合に、前記記録材に前記無線タグ在りの付加情報の記録を発生させることを特徴とする請求項１に記載の画像形成装置。
【請求項３】
前記無線タグは情報を記憶する記憶手段を有し、
前記判定手段は、前記無線タグ検出手段が前記無線タグの記憶手段から読み出したデータから有意情報が有るか否かを判定することを特徴とする請求項２に記載の画像形成装置。
【請求項４】
前記無線タグは情報を記憶する記憶手段を有し、
前記判定手段は、前記記憶手段への情報の記憶動作により有意情報が有ると判定することを特徴とする請求項２に記載の画像形成装置。
【請求項５】
前記無線タグ在りの付加情報は、有意情報が有るか否かの情報を含むことを特徴とする請求項２に記載の画像形成装置。
【請求項６】
前記無線タグは情報を記憶する記憶手段を有し、
前記無線タグ検出手段は、前記無線タグの記憶手段に記憶されているデータから、その無線タグの取付位置情報を読み出し、
前記記録制御手段は、前記取付位置情報に基づいて前記無線タグの取り付け位置の標識となる付加情報の記録を発生させることを特徴とする請求項１又は２に記載の画像形成装置。
【請求項７】
前記無線タグ在りの付加情報は、前記無線タグを破壊できる場所を示すことを特徴とする請求項６に記載の画像形成装置。
【請求項８】
前記無線タグ在りの付加情報は、前記無線タグの少なくともアンテナを切断するための切断補助線を含むことを特徴とする請求項７に記載の画像形成装置。
【請求項９】
前記記録制御手段は、前記記録材への記録情報と前記付加情報とが重なる場合に、前記付加情報を記録情報の背景として、或いは記録情報を消さない色及び／又は濃度で発生させることを特徴とする請求項１乃至８のいずれか１つに記載の画像形成装置。
【請求項１０】
前記記録制御手段は、前記記録材への記録情報と前記付加情報とが重ならないように制御する手段を有することを特徴とする請求項１乃至８のいずれか１つに記載の画像形成装置。
【請求項１１】
前記記録制御手段は、前記記録材への記録情報と前記付加情報とが異なる面に記録されるように制御する手段を有することを特徴とする請求項１乃至８のいずれか１つに記載の画像形成装置。
【請求項１２】
前記記録制御手段の制御に基づいて、前記付加情報付きの記録情報を記録する記録手段を有することを特徴とする請求項１乃至１１のいずれか１つに記載の画像形成装置。  
【請求項１３】
入力した記録信号に応じて記録材に画像を形成する画像形成装置の制御方法であって、
記録のために供給された記録材に無線タグが配置されているかどうかを検出する無線タグ検出工程と、
無線タグが配置されていることを検出したとき、前記記録材に前記無線タグ在りの付加情報の記録を発生させる記録制御工程とを備えることを特徴とする画像形成装置の制御方法。
【請求項１４】
前記無線タグに処分が必要な有意情報が有るか否かを判定する判定工程を更に備え、
前記記録制御工程では、該判定工程で無線タグに有意情報が有ると判定した場合に、前記記録材に前記無線タグ在りの付加情報の記録を発生させることを特徴とする請求項１３に記載の画像形成装置の制御方法。
【請求項１５】
前記無線タグは情報を記憶する記憶手段を有し、
前記判定工程では、前記無線タグ検出手段が前記無線タグの記憶手段から読み出したデータから有意情報が有るか否かを判定することを特徴とする請求項１４に記載の画像形成装置の制御方法。
【請求項１６】
前記無線タグは情報を記憶する記憶手段を有し、
前記判定工程では、前記記憶手段への情報の記憶動作により有意情報が有ると判定することを特徴とする請求項１４に記載の画像形成装置の制御方法。
【請求項１７】
前記無線タグは情報を記憶する記憶手段を有し、
前記無線タグ検出工程では、前記無線タグの記憶手段に記憶されているデータから、その無線タグの取付位置情報を読み出し、
前記記録制御工程は、前記取付位置情報に基づいて前記無線タグの取り付け位置の標識となる付加情報の記録を発生させることを特徴とする請求項１３に記載の画像形成装置の制御方法。
【請求項１８】
前記無線タグ在りの付加情報は、前記無線タグを破壊できる場所を示す、前記無線タグの少なくともアンテナを切断するための切断補助線を含むことを特徴とする請求項１７に記載の画像形成装置の制御方法。
【請求項１９】
請求項１３乃至１８のいずれか１つに記載の画像形成装置の制御方法を実現するコンピュータ実行可能な制御プログラム。
【請求項２０】
請求項１９に記載の制御プログラムをコンピュータ読み出し可能に記憶する記憶媒体。
【発明の詳細な説明】
【技術分野】
【０００１】
本発明は、ＲＦＩＤタグを持つ記録媒体へ印刷を行うことができる画像形成装置、その制御方法、制御プログラム、記憶媒体に関する。
【背景技術】
【０００２】
近年、各種用紙などの記録媒体にＲＦＩＤ（Radio Frequency  Identification）タグが組み込まれたＲＦＩＤ付記録媒体（例えば、用紙の表面や内部の所定位置にＲＦＩＤタグが組み込まれる）を用いて、記録媒体上に印刷するとともに併せて記録媒体に貼付されているＲＦＩＤタグに種々の情報を書き込むことができる画像形成装置が提案されている。例えば、特許文献１には、ラベル紙にＲＦＩＤタグを組み込み、このＲＦＩＤ付ラベル紙にラベル印刷とＲＦＩＤタグへの情報の書込みとを行うことができる画像形成装置が提案されている。
【０００３】
一方、写真にＲＦＩＤタグを貼り付けて写真に関する情報を書き込むという方法も提案されている。例えば、特許文献２では、プリンタ内蔵のデジタルスチルカメラにおいて、ＲＦＩＤタグ付記録媒体に写真印刷を行う方法が提案されている。
【０００４】
しかしながら、このように商品ラベルや写真記録材料にＲＦＩＤタグが組み込まれた場合には、下記のような問題がある。例えば、ＲＦＩＤタグの組み込まれた印刷物の所有者が気づかないうちに第３者によってタグの情報を読み取られプライバシーを侵害される危険がある。また、ＲＦＩＤタグ付の組み込まれた印刷物を廃棄した場合において、破棄されたＲＦＩＤタグに情報が残ったままとなり、情報漏えいの危険がある。
【０００５】
一方、情報漏えいの問題に対して、ＲＦＩＤタグを無効化するための手段が提案されている。特許文献３によると、非接触カードの回路を破壊もしくは不作動とさせるための電圧を発生する電圧発生手段が提案されており、電圧によって物理的に非接触カードのＩＣタグを破壊する方法が提案されている。また、非特許文献１として、ＲＦＩＤタグに無効化コマンドを実装し、ＲＦＩＤタグ付の商品を購入した場合に店頭などでＲＦＩＤタグを無効化にするというＲＦＩＤタグの仕様がＡｕｔｏ−ＩＤ  Ｃｅｎｔｅｒから提案されている。この方式においては、特定の装置（専用装置）を用いて、Ｋｉｌｌコマンドを送信することによりＲＦＩＤタグの無効化を行うことができる。
【特許文献１】特開２００３−１４０５４８号公報
【特許文献２】特開２００４−７２１４６号公報
【特許文献３】特開平６−３２５２２３号公報
【非特許文献１】14.4.8 Kill (binary '01 111111 1')  "Draft protocol specification for a 900 MHz Class 0 Radio Frequency Identification Tag" 23 Feb 2003 (Auto-ID Center)(http://www.epcglobalinc.org/standards_technologｙ/Secure/v1.0/UHF-class0.pdf)
【発明の開示】
【発明が解決しようとする課題】
【０００６】
しかしながら、記録材にＲＦＩＤタグが付いているか否かを一般利用者が判別することは困難であり、印刷物や商品のラベルなどを破棄する場合に、無効化の処理が必要であるか否かを判断することができないという問題があった。
【０００７】
また、上記従来の方法では、これらのＲＦＩＤタグを無効にするには無効化のための専用の装置が必要であり、ＲＦＩＤタグ付の印刷物や商品を所有する一般利用者が家庭等で容易にＲＦＩＤタグの無効化を行うことができないという問題があった。
【０００８】
また、Ｋｉｌｌコマンドを送信することにより無効化を行う方式のように、ＲＦＩＤタグの外観に変化を生じない方法の場合においては、本当にＲＦＩＤタグが無効化されたかどうかを確認することが困難であり、利用者に不安を残すという問題があった。
【０００９】
さらに、ＲＦＩＤ付き印刷物の外観上から情報が既に書き込み済みか否かという判定を行うことは難しいという問題があった。
【００１０】
本発明は、上記説明した従来技術の問題点を解決することを出発点としてなされたものであり、その目的は、一般利用者が無効にしなければならないＲＦＩＤタグが組み込まれた記録媒体（ＲＦＩＤタグが記録媒体に取り付けられているＲＦＩＤタグ付記録媒体）であるか否かを判別できるような記録をする画像形成装置およびその制御方法を提供することである。
【００１１】
また、本発明の他の目的は、一般利用者がこの記録媒体に組み込まれたＲＦＩＤタグに無効にすべきの情報が既に書き込まれているか否かを判定することができるような記録をする画像形成装置およびその制御方法を提供する方法を提供することである。
【００１２】
さらに、本発明の他の目的は、一般利用者に、例えば切断等によって容易に無効にする手段を提供することができる画像形成装置およびその制御方法を提供する方法を提供することである。
【課題を解決するための手段】
【００１３】
上記目的を達成するため、本発明の画像形成装置は、入力した記録信号に応じて記録材に画像を形成する画像形成装置であって、記録のために供給された記録材に無線タグが配置されているかどうかを検出する無線タグ検出手段と、無線タグが配置されていることを検出したとき、前記記録材に前記無線タグ在りの付加情報の記録を発生させる記録制御手段とを備えることを特徴とする（実施形態１乃至８に相当）。
【００１４】
ここで、前記無線タグに処分が必要な有意情報が有るか否かを判定する判定手段を更に備え、前記記録制御手段は、該判定手段が無線タグに有意情報が有ると判定した場合に、前記記録材に前記無線タグ在りの付加情報の記録を発生させる。また、前記無線タグは情報を記憶する記憶手段を有し、前記判定手段は、前記無線タグ検出手段が前記無線タグの記憶手段から読み出したデータから有意情報が有るか否かを判定する（実施形態４に相当）。また、前記無線タグは情報を記憶する記憶手段を有し、前記判定手段は、前記記憶手段への情報の記憶動作により有意情報が有ると判定する（実施形態６に相当）。前記無線タグ在りの付加情報は、有意情報が有るか否かの情報を含む（実施形態７に相当）。
【００１５】
また、前記無線タグは情報を記憶する記憶手段を有し、前記無線タグ検出手段は、前記無線タグの記憶手段に記憶されているデータから、その無線タグの取付位置情報を読み出し、前記記録制御手段は、前記取付位置情報に基づいて前記無線タグの取り付け位置の標識となる付加情報の記録を発生させる。ここで、前記無線タグ在りの付加情報は、前記無線タグを破壊できる場所を示す。前記無線タグ在りの付加情報は、前記無線タグの少なくともアンテナを切断するための切断補助線を含む（実施形態２乃至７に相当）。
【００１６】
また、前記記録制御手段は、前記記録材への記録情報と前記付加情報とが重なる場合に、前記付加情報を記録情報の背景として、或いは記録情報を消さない色及び／又は濃度で発生させる。また、前記記録制御手段は、前記記録材への記録情報と前記付加情報とが重ならないように制御する手段を有する（実施形態３，５に相当）。また、前記記録制御手段は、前記記録材への記録情報と前記付加情報とが異なる面に記録されるように制御する手段を有する（実施形態８に相当）。また、前記記録制御手段の制御に基づいて、前記付加情報付きの記録情報を記録する記録手段を有する。
【００１７】
又、本発明の画像形成装置の制御方法は、入力した記録信号に応じて記録材に画像を形成する画像形成装置の制御方法であって、記録のために供給された記録材に無線タグが配置されているかどうかを検出する無線タグ検出工程と、無線タグが配置されていることを検出したとき、前記記録材に前記無線タグ在りの付加情報の記録を発生させる記録制御工程とを備えることを特徴とする。
【００１８】
ここで、前記無線タグの処分が必要な有意情報が有るか否かを判定する判定工程を更に備え、前記記録制御工程では、該判定工程で無線タグに有意情報が有るとを判定した場合に、前記記録材に前記無線タグ在りの付加情報の記録を発生させる。また、前記無線タグは情報を記憶する記憶手段を有し、前記判定工程では、前記無線タグ検出手段が前記無線タグの記憶手段から読み出したデータから有意情報が有るか否かを判定する。また、前記無線タグは情報を記憶する記憶手段を有し、前記判定工程では、前記記憶手段への情報の記憶動作により有意情報が有ると判定する。また、前記無線タグは情報を記憶する記憶手段を有し、前記無線タグ検出工程では、前記無線タグの記憶手段に記憶されているデータから、その無線タグの取付位置情報を読み出し、前記記録制御工程は、前記取付位置情報に基づいて前記無線タグの取り付け位置の標識となる付加情報の記録を発生させる。また、前記無線タグ在りの付加情報は、前記無線タグを破壊できる場所を示す、前記無線タグの少なくともアンテナを切断するための切断補助線を含む。
【００１９】
上記画像形成装置の制御方法を実現するコンピュータ実行可能な制御プログラム、及び該制御プログラムをコンピュータ読み出し可能に記憶する記憶媒体をも提供する。
【発明の効果】
【００２０】
本発明の請求項１，２，１４に記載の画像形成装置およびその制御方法によれば、一般利用者がＲＦＩＤタグが組み込まれた記録媒体を専用装置等を用いずに記録媒体上の記録から無効にすべきか否かを判別できる。
【００２１】
また、本発明の請求項３乃至６、請求項１５乃至１７に記載の画像形成装置およびその制御方法によれば、一般利用者がこの記録媒体に組み込まれたＲＦＩＤタグに無効にすべき情報が既に書き込まれているか否かを判定することができる。
【００２２】
さらに、本発明の請求項７乃至９、請求項１８，１９に記載の画像形成装置およびその制御方法によれば、一般利用者に、例えば切断等によって無効にする手段を容易に提供することができる。
【００２３】
尚、請求項１０乃至１２に記載の画像形成装置によれば、記録情報を失うことなしにＲＦＩＤタグが組み込まれた記録媒体を判別できる。
【発明を実施するための最良の形態】
【００２４】
以下、添付図面を参照して本発明の画像形成装置の好適な実施形態としてインクジェットプリンタを用いて詳細に説明する。なお、本発明の画像形成装置はインクジェットプリンタに限ることはなく、ＲＦＩＤタグ付記録媒体であることを判別できるものであればいかなるプリンタであってもよく、例えば、レーザビームプリンタなど他のプリンタを用いてもよい。
【００２５】
以下の説明において、『ＲＦＩＤタグ』とは、メモリを含む電子回路部とアンテナ部とで構成されるタグであってアンテナ部を介して無線電波でメモリ内に含まれるデータの送受信を行うことのできるタグを意味し、『ＲＦＩＤタグ付記録媒体』とは、『ＲＦＩＤタグ』が所定位置に取り付けられた（例えば、記録媒体の内部の端部などに組み込まれた）記録媒体を意味する。この『ＲＦＩＤタグ』のメモリには、例えば、記録媒体（各種用紙、写真など）に取り付けられるタグの位置情報（タグの寸法、取付位置の情報など）とその他の情報（記録媒体に印刷される画像の情報、例えば、撮影情報、印刷情報、出所情報、品質情報、製造情報など）が記録されている。なお以下の説明では、ＲＦＩＤタグ付記録媒体の一例としてＲＦＩＤタグ付き用紙を用いて説明する。
【００２６】
＜実施形態１の画像形成装置の構成例：タグ付きの表示画像印刷＞
［本実施形態の特徴］
本実施形態の画像形成装置は、記録媒体上に画像形成する際に、
（１）記録媒体がＲＦＩＤタグ付記録媒体かＲＦＩＤタグが付いていない記録媒体であるかを判別し、
（２）ＲＦＩＤタグ付記録媒体であると判別された場合には、ＲＦＩＤタグ付記録媒体上にＲＦＩＤタグ付きであることを表わす画像を印刷する（ＲＦＩＤタグ付きを示すデータをホストコンピュータからの記録データと重畳し、重畳したデータを用いて記録媒体上に画像とタグ付き表示画像と同時に印刷する）。そのため、本画像形成装置のユーザは、ＲＦＩＤタグ付記録媒体を廃棄する場合に、ＲＦＩＤタグを破壊しＲＦＩＤタグのメモリに含まれる情報を無効（読みとり不能）にしてから安心して記録媒体を廃棄することができる。また、本実施形態の画像形成装置では、記録媒体がＲＦＩＤタグを持たない通常の記録媒体の場合には、通常の印刷を行うことができる。
【００２７】
以下、本実施形態のインクジェットプリンタについて説明する。
【００２８】
［ＲＦＩＤタグ付き用紙：図１］
本実施形態で用いるＲＦＩＤタグ付記録媒体の一例であるＲＦＩＤタグ付き用紙Ｐ（以下、印刷用紙Ｐという場合もある）の構成の一例を図１に示す。
【００２９】
図１において２０１０は印刷用紙であり、２０２０はＲＦＩＤタグである。２０３０はＲＦＩＤタグのアンテナ部であり、ＲＦＩＤタグのリーダ・ライタからの電磁波により電力を起こすと同時に、ＲＦＩＤタグとリーダ・ライタとの間の無線通信における電波の送受信の役割を持つ。２０４０はＲＦＩＤタグの ＩＣチップ部であり、ＲＦＩＤタグに記憶する情報のメモリ部２０５０が含まれている。なお、この２０２０は用紙内部に挟み込まれる形で搭載されているために、外観上ＲＦＩＤタグ２０２０が露呈することはない。
【００３０】
［画像形成装置の構成：図２Ａ］
次に、本実施形態の画像形成装置であるインクジェットプリンタについて説明する。図２Ａは、インクジェットプリンタ１０００のブロック図である。
【００３１】
同図に示されるように、インクジェットプリンタ１０００は、プリンタ全体の制御手段として機能するＭＰＵ１０１０を含む。このＭＰＵ１０１０には、バス１０５０を介してＲＡＭ１０２０およびＲＯＭ１０３０が接続されている。
【００３２】
ＲＡＭ１０２０は、各種データを一時的に保持等する受信バッファＲＢ、プリントバッファＰＢ、および、各種制御に伴う演算処理の作業領域として用いられるワークラムＷＲを有する。また、ＲＯＭ１０３０には、各種制御用プログラム等が記憶されている。更に、ＭＰＵ１０１０には、バス１０５０を介して入出力インタフェース１０６０が接続されており、この入出力インタフェース１０６０には、外部のホストコンピュータＨＣ１５００が接続される。
【００３３】
記録ヘッド１０７０は、ヘッド制御１１２０を介して入出力インタフェース１０６０に接続されており、ＭＰＵ１０１０によって制御される。同様に、キャリッジ駆動用のＣＲモータ１０８０は、モーター制御１１３０を介して、給紙機構１０９０は、給紙制御１１４０を介して、入出力インタフェース１０６０に接続されている。更に、インクジェットプリンタ１０００に備えられている各種センサ１１７０や各種スイッチ１１８０は入出力インタフェース１０６０に接続されており、インクジェットプリンタ１０００の表示装置１１１０も、表示制御１１６０を介して入出力インタフェース１０６０に接続されている。
【００３４】
記録ヘッド１０７０はインクを吐出可能なプリンタヘッドであり、主走査方向に走査可能な不図示のキャリッジに支持される。キャリッジには、ブラック（Ｂｋ）、シアン（Ｃ）、マゼンタ（Ｍ）およびイエロー（Ｙ）のインクを収容する不図示のインクタンクを記録ヘッド１０７０に接続するように装着／離脱させることが可能な構成となっている。また、記録ヘッド１０７０は、不図示の各インク色ごとの複数のノズル列や電気熱変換素子等のヒータを有している。不図示のキャリッジは、不図示のシャフトによって摺動自在に支持されており、シャフトの延在方向にそって、主走査を行う。キャリッジは不図示のベルト等を含む走査機構によってキャリッジ（ＣＲ）モーター１０８０の出力を伝達することにより、主走査方向に往復運動可能となる。ＣＲモーター１０８０は、モーター制御１１３０を介して入出力インタフェース１０６０に接続されており、ＭＰＵ１０１０によって制御される。
【００３５】
また、インクジェットプリンタ１０００には給紙トレイ１１９０が配置されており、この給紙トレイ１１９０上に、記録媒体としての印刷用紙Ｐ（１７００）が載置される。給紙トレイに載置された印刷用紙Ｐは、不図示のＬＦモータを駆動源として有する給紙機構１０９０によって１枚ずつ分離された上で、記録ヘッド１０７０（各ノズル列）と相対する記録位置に供給（搬送）される。記録位置にて印刷用紙Ｐに対する画像の記録が行われる場合、給紙機構１０９０により印刷用紙Ｐが記録位置に供給されると共に、記録ヘッド１０７０がＣＲモーター１０８０を動力源に所定の往復運動を開始する。
【００３６】
また、記録ヘッド１０７０には、ヘッド制御１１２０よりヘッド制御信号が与えられる。記録ヘッド１０７０は、ヘッド制御信号に応じて、電気熱変換素子が発生する熱エネルギを利用してノズルからインクを吐出させ、印刷用紙Ｐ上に画像を形成する。画像が形成された印刷用紙Ｐは、排出機構１１００によって排出される。
【００３７】
［記憶部（ＲＯＭ，ＲＡＭ）の構成例：図２Ｂ］
図２Ｂに、図２Ａの画像形成装置１０００の制御を司るＭＰＵ１０１０が実行するプログラムや、データの記憶部（ＲＯＭ，ＲＡＭ）への記憶構成例を示す。尚、図２Ｂでは、プログラムはＲＯＭ１０３０に記憶されるとしたが、ディスクなどの外部記憶部に用意されて、ＲＡＭ１０２０にロードされて実行されてもよい。
【００３８】
ＲＯＭ１０３０（又は、外部記憶部）は、データ記憶領域とプログラム記憶領域とを有する。データ記憶領域には、例えば、ＲＦＩＤタグ付きであることを表わす画像が固定された文字や図形であれば、その重畳画像データ１０３１が記憶される。プログラム記憶領域には、ＯＳなどのシステムプログラムの外に、本実施形態で実行されるホストコンピュータ１５００からの印刷する画像データを受信するための画像データ受信プログラム１０３２、印刷する印刷データを生成するための印刷データ生成プログラム１０３３、生成された印刷データを出力する印刷データ出力プログラムが記憶される。印刷データ生成プログラム１０３３には、本実施形態に特有のＲＦＩＤ検出モジュール１０３４、重畳データ生成モジュール１０３５、合成データ生成モジュール１０３６が含まれる。尚、後述する裏面にＲＦＩＤタグについての画像を印刷する例では、合成データ生成モジュール１０３６は必要ない。
【００３９】
ＲＡＭ１０２０は、データ記憶領域とプログラムロード領域とを有する。データ記憶領域には、以下で示す種々の実施形態で必要とされるデータやフラグが記憶される。例えば、ホストコンピュータ１５００から受信した受信画像データ１０２１、ＲＦＩＤタグに関する画像を表わす重畳画像データ１０２２、受信画像データと重畳画像データとを合成した合成画像データ１０２３、印刷しようとしている記録媒体がＲＦＩＤタグ付きか否かを表わすＲＦＩＤタグフラグ１０２４、ＲＦＩＤタグの記憶部に今から記憶される、あるいは記憶されていたＲＦＩＤ記憶データ１０２５、ＲＦＩＤタグの記録媒体上の位置を示すＲＦＩＤタグ位置情報１０２６、記録媒体のＲＦＩＤタグの記憶内容に基づいて破棄すべきか否かを示すＲＦＩＤタグ破棄フラグ１０２７、後述するＲＦＩＤタグに関する画像を裏面に印刷するか否かを表わす裏面印刷フラグ１０２８を含む。
【００４０】
［ＲＦＩＤタグ付き用紙上にタグ付き表示画像の印刷：図３］
次に、図３のフローチャートを参照しながら、本実施形態のインクジェットプリンタ１０００において印刷用紙Ｐ（ＲＦＩＤタグ付記録媒体）に画像を印刷する際に、ＲＦＩＤタグ付きであることを簡単に認識できる表示画像を画像と合わせて印刷する方法について説明する。図３の処理は、ＭＰＵ１０１０がＲＯＭ１０３０に記憶されている制御プログラムに基づいて、ＲＡＭ１０２０を作業領域として使用し各部を制御しながら実行するものである。
【００４１】
［ステップＳ１０：プリンタのデータ受信］
インクジェットプリンタ１０００によって記録すべき文字や画像のデータ（ビットマップデータ等、以下「記録データ」という）は、ホストコンピュータＨＣ１５００から送出され、入出力インタフェース１０６０を介して、ＲＡＭ１０２０の受信バッファＲＢに蓄えられる。この際、ＭＰＵ１０１０からは、正常にデータが転送されていることを確認するための信号や、プリンタ１０００の動作状態を示す信号等がホストコンピュータ１５００に返送される。
【００４２】
［ステップＳ２０：ＲＦＩＤタグ付き用紙の給紙］
次に、プリンタ１０００のＭＰＵ１０１０は、少なくとも所定数のラスタ分（以下「所定ラスタ分」という）の記録データが受信バッファＲＢに蓄積されると、給紙機構１０９０を給紙制御１１４０を介して制御して、給紙トレイ１１９０より印刷用紙Ｐを第一の所定位置まで給紙（搬送）する。
【００４３】
［ステップＳ３０：ＲＦＩＤタグの読み取り］
次に、ＭＰＵ１０１０は入出力インタフェース１０６０を介して接続されるＲＦＩＤタグＲ／Ｗ１０４０を介して、印刷用紙ＰがＲＦＩＤタグの情報の読み込みを行う。ＭＰＵ１０１０はＲＦＩＤタグのデータの読み込みが成功したか否かで、印刷用紙ＰがＲＦＩＤタグ用紙か否かを判定する。ステップＳ３０において、ＲＦＩＤタグのデータの読み込みが成功した場合はステップＳ４０に進み、読み込んだデータを解析し、印刷用紙Ｐ上のＲＦＩＤタグの取付位置情報の読み込みを行う。また、ステップＳ３０において、ＭＰＵ１０１０はＲＦＩＤタグ情報の読み込みに失敗した場合および印刷用紙ＰのＲＦＩＤタグの取付位置情報の読み込みに失敗した場合には、印刷用紙ＰはＲＦＩＤタグ用紙ではないと判断して、何もせずに通常の印刷動作のみを行うためにステップＳ９０の印刷処理へジャンプする。
【００４４】
［ステップＳ７０，Ｓ８０：ＲＦＩＤタグ表示画像の生成及び合成：図４］
次に、ステップＳ７０において、ＭＰＵ１０１０はＲＦＩＤタグ付きを表わす表示画像を印刷画像時情報として作成し、記録データ上に重畳させる。尚、ＲＦＩＤタグ付きを表わす表示画像は、文字であっても図形であってもよい。また、重畳させる位置は印刷用紙Ｐの周辺であっても内側であってもよい。例えば、印刷データが文書の場合などは、薄いカラー文字や図形を印刷用紙Ｐ全体に重畳させてもよい。印刷物の廃棄時に、ＲＦＩＤタグ付きであることをユーザに明瞭に認識させる視覚的に強調できる表示画像であればよく、ＲＦＩＤタグの有る位置やその位置を認識可能な、例えばＲＦＩＤタグの有る位置と同じ行や列に重畳させるのが望ましい。また、ＲＦＩＤタグ付きを表わすのみでなく、そのＲＦＩＤタグへの記憶状況や破棄方法を報知する内容を含んでもよい。
【００４５】
次に、ステップＳ８０において、生成されたＲＦＩＤタグ付きを表わす表示画像を記録データ上に合成する。以下、図４のフローチャートに従って、ステップＳ８０のＲＦＩＤタグ表示画像の記録データ上への合成における位置制御につき説明する。尚、以下の実施形態２乃至７における印刷画像合成（Ｓ８０）及び印刷画像生成（Ｓ８０'）における処理も同様である。
【００４６】
ステップＳ８１で、印刷パラメータとして、用紙サイズや解像度などを取得する。ステップＳ８２では、前のステップで作成されたＲＦＩＤタグ表示画像（あるいは、以下の切り取り補助線）の印刷位置と図形（線）や文字のサイズを取得する。
【００４７】
ステップＳ８３では、用紙サイズ及び解像度と、ＲＦＩＤタグ表示画像の印刷位置及びサイズとから、印刷画素データ（ビットマップデータ）におけるＲＦＩＤタグ表示画像の開始位置と画素データを作成する。尚、以下の切り取り補助線の場合は、画素データと各画素データのビットマップ上のアドレスを作成するのが望ましい。
【００４８】
以下に、図形や文字列の場合の開始位置と画素データの作成例を示す。例えば、用紙サイズがＡ４で６００ｄｐｉの解像度の印刷とし、ＲＦＩＤタグ表示画像が用紙左上を原点とし、横１９０mm・縦１０mmを左上開始位置としてＩＤの文字を幅２０mm・高さ１０mmで印刷する場合を想定する。煩雑さを避けるため余白などの設定を省略すると、
かかるＲＦＩＤタグ表示画像は、
副走査方向に２４ライン（≒１０×６００／２５４）から４７ライン（≒２０×６００／２４５）の２５ラインの、主走査方向に４４８画素（≒１９０×６００／２５４）から４９６画素（≒２１０×６００／２５４）の５０画素の範囲に、ＩＤのフォントが展開された画像である。この例は、切り取り補助線を含む他の例にも一般化される方法である。
【００４９】
ステップＳ８４では、この生成した画素データが、記録データのビットマップに重畳されて、合成された印刷画像データが得られる。尚、重畳の方法として、有意な記録データとＲＦＩＤタグ表示画像が重なった場合に、ＲＦＩＤタグ表示画像を記録データに上書きするもの、下書き（背景）とするもの、重なった部分が反転や色違いにして表わすものなどが考えられる。例えば、上述のような薄いカラー文字や図形を印刷用紙Ｐ全体に重畳させる場合は、背景とするのが望ましい。又、以下の切り取り補助線の例で示すように、有意な記録データとＲＦＩＤタグ表示画像が重ならないように、印刷位置の調整や記録データの縮小などの方法も考えられる。
【００５０】
［ステップＳ９０：印刷］
次に、ステップＳ９０において、ＭＰＵ１０１０は、合成した記録データを各インクごとに吐出データに変換し、プリント吐出データを所定のタイミングでヘッド駆動に送出すると共に、モーター制御、給紙制御を介してＣＲモータ１０８０および不図示のＬＦモータを作動させ、印刷用紙Ｐに対する画像記録を実行させることにより印刷を実行する。
【００５１】
＜まとめ＞
本実施形態のインクジェットプリンタ１０００では、（１）画像形成に用いる記録媒体がＲＦＩＤタグ付記録媒体か否かを判別し、（２）ＲＦＩＤタグ付記録媒体と判別された場合には、ＲＦＩＤタグ付記録媒体上にＲＦＩＤタグ付きを表わす表示画像を画像とともに印刷することができる。そのため、本画像形成装置のユーザは、ＲＦＩＤタグ付記録媒体が不要になり廃棄する場合には、その記録媒体に無効化すべきＲＦＩＤタグ存在することがわかるため、破壊しなければならないことが容易に認識されるので、ＲＦＩＤタグを切断などの処理をしＲＦＩＤタグのメモリに含まれる情報を無効（読みとり不能）にしてから安心して記録媒体を廃棄することができる。
【００５２】
なお、本実施形態の説明では、図３のフローチャートに示される一連の処理がインクジェットプリンタ１０００側で行われる例を用いて説明したが、本発明はこの例に限られるものではなく、例えば、図３のフローチャートに示される一連の処理のすべて、または、一部は、ホストコンピュータＨＣ側のプリンタドライバＰＤによって実行される構成としてもよい。
【００５３】
また、本実施形態の説明では、ＲＦＩＤタグ付きを表わす画像データを、記録データと同じ印刷面に重畳させるものとして説明されたが、これに限るものではない。ＲＦＩＤタグ付きを表わす画像データを記録データの印刷面の裏面に印刷できる（裏面印刷については、以下に他の実施形態として説明する）。
【００５４】
＜実施形態２の画像形成装置の構成例：切断補助線の印刷＞
［本実施形態の特徴］
本実施形態の画像形成装置は、記録媒体上に画像形成する際に、
（１）記録媒体がＲＦＩＤタグ付記録媒体かＲＦＩＤタグが付いていない記録媒体であるかを判別し、
（２）ＲＦＩＤタグ付記録媒体であると判別された場合には、ＲＦＩＤタグ付記録媒体上にＲＦＩＤタグの切断位置を示す切断補助線を画像とともに印刷する（ＲＦＩＤタグの切断補助線を示すデータをホストコンピュータからの記録データと重畳し、重畳したデータを用いて記録媒体上に画像と切断補助線と同時に印刷する）。そのため、本画像形成装置のユーザは、ＲＦＩＤタグ付記録媒体を廃棄する場合に、記録媒体上に印刷された切断補助線に沿ってＲＦＩＤタグを切断しＲＦＩＤタグのメモリに含まれる情報を無効（読みとり不能）にしてから安心して記録媒体を廃棄することができる。また、本実施形態の画像形成装置では、記録媒体がＲＦＩＤタグを持たない通常の記録媒体の場合には、通常の印刷を行うことができる。
【００５５】
以下、本実施形態のインクジェットプリンタについて説明するが、本実施形態のインクジェットプリンタは実施形態１のインクジェットプリンタと類似するので、共通する図およびその内容についての説明は省略し、以下異なる点についてのみ説明する。
【００５６】
［ＲＦＩＤタグ付き用紙上に切断補助線の印刷：図５］
次に、図５のフローチャートを参照しながら、本実施形態のインクジェットプリンタ１０００において印刷用紙Ｐ（ＲＦＩＤタグ付記録媒体）に画像を印刷する際に、不要となったＲＦＩＤタグを簡単に切断できる切断補助線を画像と合わせて印刷する方法について説明する。図５の処理は、ＭＰＵ１０１０がＲＯＭ１０３０に記憶されている制御プログラムに基づいて、ＲＡＭ１０２０を作業領域として使用し各部を制御しながら実行するものである。
【００５７】
［ステップＳ１０〜３０］
図５のステップＳ１０からステップＳ３０までの処理は、図３に示す実施形態１のステップＳ１０からステップＳ３０までの処理と同様であるためその説明は重複するので省略する。
【００５８】
［ステップＳ４０，Ｓ５０：ＲＦＩＤタグ位置の検出：図６］
次に、ステップＳ４０，Ｓ５０のＲＦＩＤタグ位置検出処理について図６を用いて説明する。図６の４０１０はＲＦＩＤタグを載せた印刷用紙Ｐの一例を示す外観図である。印刷用紙Ｐは右下にＲＦＩＤタグ４０２０を紙内部に搭載している。なお、この４０２０は用紙内部に挟み込まれる形で搭載されているために、外観上ＲＦＩＤタグ４０２０が露呈することはない。４０３０はＲＦＩＤタグ４０２０のアンテナ部であり、４０４０はＲＦＩＤタグのＩＣチップ部である。このＩＣチップ部４０４０内部のメモリにＲＦＩＤタグの取付位置情報を記録している。４０５０はＲＦＩＤタグの取付位置情報の記録内容を示しておりＭＰＵ１０１０によって読み込まれたＲＦＩＤタグ情報の中に含まれている。
【００５９】
ここで、位置情報にはＰｗｘ、Ｐｗｙ、Ｉｐｘ、Ｉｐｙ、Ｉｗｘ、Ｉｗｙの情報が格納されており、それぞれ以下の意味を持つ。
Ｐｗｘ：用紙Ｐの横の長さ（ｍｍ）
Ｐｗｙ：用紙Ｐの縦の長さ（ｍｍ）
Ｉｐｘ：用紙Ｐ上のＲＦＩＤタグの横位置を示す座標位置（ｍｍ）
Ｉｐｙ：用紙Ｐ上のＲＦＩＤタグの縦位置を示す座標位置（ｍｍ）
Ｉｗｘ：ＲＦＩＤタグのアンテナ部の横の長さ（ｍｍ）
Ｉｗｙ：ＲＦＩＤタグのアンテナ部の縦の長さ（ｍｍ）
ＭＰＵ１０１０は上記情報を元にＲＦＩＤタグアンテナ部の対角の頂点である点Ａおよび点Ｂの位置を以下の式より求める。点Ａ、Ｂの座標は用紙の左上頂点（点Ｏ）を基準に求める。
【００６０】
点Ａ（Ｘａ、Ｙａ）  ＝  （Ｉｐｘ  、Ｉｐｙ  ＋  Ｉｗｙ）
点Ｂ（Ｘｂ、Ｙｂ）  ＝  （Ｉｐｘ  ＋  Ｉｗｘ  、Ｉｐｙ）
図５における位置情報を元に計算すると
（Ｘａ、Ｙａ）  ＝  （１９０、２７７＋１６）  ＝  （１９０、２９３）
（Ｘｂ、Ｙｂ）  ＝  （１９０＋１６、２７７）  ＝  （２０６、２７７）
となる。
【００６１】
このようにステップＳ４０において、位置検出処理を行ってからステップＳ５０に進みステップＳ５０において、位置検出に成功する（上記Ｐｗｘ、Ｐｗｙ、Ｉｐｘ、Ｉｐｙ、Ｉｗｘ、Ｉｗｙの値の組み合わせが適正である）と判断すると、ステップＳ７０に進む。また、ステップＳ５０において、ＭＰＵ１０１０は上記Ｐｗｘ、Ｐｗｙ、Ｉｐｘ、Ｉｐｙ、Ｉｗｘ、Ｉｗｙの値の組み合わせが不正である場合（たとえばＰｗｘの値よりもＩｐｘの値が大きい場合など）は、位置検出に失敗したとして通常の印刷動作のみを行うために印刷処理（ステップＳ９０）へジャンプする。
【００６２】
尚、上記ＲＦＩＤタグの位置検出では、ＲＦＩＤタグに予め記憶された位置情報に基づいて検出をしたが、ＲＦＩＤタグＲ／Ｗ１０４０のＲＦＩＤタグへの送受信の状態から位置検出を行なってもよい。
【００６３】
［ステップＳ７１，Ｓ８０：ＲＦＩＤタグ切断補助線の生成］
次に、ステップＳ７１において、ＭＰＵ１０１０は点Ａと点Ｂを上を通過する直線をＲＦＩＤタグ切断補助線として、図６の（ａ）に示す補助線ＡＢを上記座標Ａ（Ｘａ、Ｙａ）及びＢ（Ｘｂ、Ｙｂ）を元に決定する。ＭＰＵ１０１０は決定した補助線ＡＢを印刷画像時情報として作成し、記録データ上に重畳させる。
【００６４】
次に、ステップＳ８０において、点Ａ、Ｂを通過する補助線ＡＢ、すなわちＲＦＩＤタグのアンテナを対角線上に通過する補助線ＡＢをＲＦＩＤタグ切断補助線として記録データ上に合成する。
【００６５】
なお、図７の（ａ）のように補助線ＡＢに加えて、図７の（ｂ）に示すような図形のアイコン５０や文字のアイコン６０を印刷画像時情報として作成し、記録データ上に加えることにより、補助線ＡＢがＲＦＩＤタグ切断補助線であることを視覚的に強調することも可能となる。
【００６６】
［ステップＳ９０：印刷］
次に、ＭＰＵ１０１０は、ステップＳ９０において、合成した記録データの印刷を行う。ステップＳ９０の詳細は実施形態１と同等のため説明を省略する。
【００６７】
＜まとめ＞
本実施形態のインクジェットプリンタ１０００では、（１）画像形成に用いる記録媒体がＲＦＩＤタグ付記録媒体か否かを判別し、（２）ＲＦＩＤタグ付記録媒体と判別された場合には、ＲＦＩＤタグ付記録媒体上にＲＦＩＤタグの切断位置を示す切断補助線を画像とともに印刷することができる。そのため、本画像形成装置のユーザは、ＲＦＩＤタグ付記録媒体が不要になり廃棄する場合には、その記録媒体に無効化すべきＲＦＩＤタグ存在することがわかるため、破壊しなければならないことが容易に認識される。また、特に簡易な無効化の方法として予め記録媒体上に印刷された切断補助線に沿ってＲＦＩＤタグを切断しＲＦＩＤタグのメモリに含まれる情報を無効（読みとり不能）にしてから安心して記録媒体を廃棄することができる。
【００６８】
なお、本実施形態の説明では、図５のフローチャートに示される一連の処理がインクジェットプリンタ１０００側で行われる例を用いて説明したが、本発明はこの例に限られるものではなく、例えば、図５のフローチャートに示される一連の処理のすべて、または、一部は、ホストコンピュータＨＣ側のプリンタドライバＰＤによって実行される構成としてもよい。
【００６９】
また、本実施形態の説明では、ＲＦＩＤタグ切断補助線の画像データを、記録データと同じ印刷面に重畳させるものとして説明されたが、これに限るものではない。ＲＦＩＤタグ切断補助線の画像データを記録データの印刷面の裏面に印刷できる。
【００７０】
なお、本実施形態の説明では、ＲＦＩＤタグに書き込まれた位置情報を元にＲＦＩＤタグの印刷用紙Ｐ上における位置の検出を行う例を用いて説明したが、本発明はこの例に限られるものではなく、例えば、光学的位置読み取り手段や電磁波による位置読み取り手段等の別の手段を用いてＲＦＩＤタグの取付位置検出を行う構成としてもよい。
【００７１】
＜実施形態３の画像形成装置の構成例：印刷画像の位置及びサイズの設定＞
［本実施形態の特徴］
本実施形態のインクジェットプリンタは、実施形態１又は２のインクジェットプリンタと同様に、記録媒体にＲＦＩＤタグが付いている場合に、ＲＦＩＤタグ付きを表わす画像やＲＦＩＤタグの切断補助線をホストコンピュータからの画像に重畳させて印刷することにより、記録媒体上にＲＦＩＤタグを無効化するための画像を印刷することができるが、更に、重畳画像の印刷位置や記録媒体のＲＦＩＤの取付け位置に応じて、ホストコンピュータから受信した画像の印刷位置およびサイズを決定することができる点が特徴である。
【００７２】
以下、本実施形態のインクジェットプリンタについて説明するが、本実施形態のインクジェットプリンタは実施形態１及び２のインクジェットプリンタと類似するので、共通する図およびその内容についての説明は省略し、以下異なる点についてのみ説明する。
【００７３】
尚、本実施形態では、切断補助線が印刷画像と重ならないような制御を例に説明するが、切断補助線に限定されず実施形態１のＲＦＩＤタグ付きを表わす文字や図形と印刷画像が重ならないように制御する場合に適用できる。
【００７４】
［ＲＦＩＤタグ付き用紙上に切断補助線の印刷：図４］
次に、図４のフローチャートを参照しながら、本実施形態のインクジェットプリンタ１０００を用いて印刷用紙Ｐ（ＲＦＩＤタグ付記録媒体）に画像を印刷する際に、不要となったＲＦＩＤタグを簡単に切断できる切断補助線を画像と合わせて印刷する方法について説明する。
【００７５】
［ステップＳ１０〜７１］
図４のステップＳ１０からステップＳ７１までの処理は、実施形態２の処理と同様であるためその説明は重複するので省略する。
【００７６】
［ステップＳ８０］
次に、ＭＰＵ１０１０は、ステップＳ８０の印刷画像合成処理において、実施形態２と異なる画像合成を行なう。
【００７７】
すなわち、ステップＳ４０においてあらかじめ検出しているＲＦＩＤタグの取付位置情報を基に図８に示す点Ｕ（すなわち、ＲＦＩＤタグの印刷用紙Ｐの中心に最も近い頂点）を求める。次に、ＭＰＵ１０１０は、この点Ｕと図７の点Ｏ、Ｒ、Ｐとで形成される斜線部の領域（図８における４０５０で示される領域）を、印刷用紙Ｐ上に記録される画像領域として配置する。
【００７８】
ＭＰＵ１０１０は、ホストコンピュータから送られメモリに蓄積されている記録データを用いて、記録データが図８の点Ｏ、Ｒ、Ｐ、Ｕとで形成される斜線部の領域に納まるように、印刷開始位置と印刷サイズとを設定する。ＭＰＵ１０１０は、ステップＳ７０で生成した点Ａ、Ｂを通過するＲＦＩＤタグ切断補助線と、上述の記録データの画像の印刷位置・サイズに従って配置された記録データの印刷画像とを合成し、印刷用紙Ｐ上に印刷すべき印刷画像を生成する。
【００７９】
［ステップＳ９０：印刷］
次に、ＭＰＵ１０１０は、ステップＳ９０において、合成した記録データの印刷を行う。ステップＳ９０の詳細は実施形態１と同等のため説明を省略する。
【００８０】
＜まとめ＞
以上説明したように、本実施形態のインクジェットプリンタは、記録データの画像領域を、ＲＦＩＤタグ付きを表わす画像やＲＦＩＤタグと重なり合わない位置に配置することによって、ＲＦＩＤタグ付きを表わす画像やＲＦＩＤタグ切断補助線ＡＢと記録データの印刷画像とが重なり合うこと無しに、ＲＦＩＤタグ付きを表わす画像やＲＦＩＤ切断補助線ＡＢを印刷することが可能となる。
【００８１】
＜実施形態４の画像形成装置の構成例：ＲＦＩＤタグの記憶情報の判別＞
［本実施形態の特徴］
本実施形態のインクジェットプリンタは、実施形態１や２のインクジェットプリンタと同様に、記録媒体にＲＦＩＤタグが付いている場合に、ＲＦＩＤタグ付きを表わす画像やＲＦＩＤタグの切断補助線をホストコンピュータからの画像に重畳させて印刷することにより、記録媒体上にＲＦＩＤタグ付きを表わす画像やＲＦＩＤタグを無効化するための切断補助線を印刷することができるが、その際に、印刷用紙ＰのＲＦＩＤタグに破棄が必要な情報が記録されている場合にのみ重畳画像の印刷を行うことを特徴とする。
【００８２】
以下、本実施形態のインクジェットプリンタについて説明するが、本実施形態のインクジェットプリンタは実施形態１のインクジェットプリンタと類似するので、共通する図およびその内容についての説明は省略し、以下異なる点についてのみ説明する。以下では、実施形態２の切断補助線の印刷の例を示すが、実施形態１への適用も同様に可能である。
【００８３】
［ＲＦＩＤタグ付き用紙上に切断補助線の印刷：図９］
次に、図９のフローチャートを参照しながら、本実施形態のインクジェットプリンタ１０００を用いて印刷用紙Ｐ（ＲＦＩＤタグ付記録媒体）に画像を印刷する際に、不要となったＲＦＩＤタグを簡単に切断できる切断補助線を画像と合わせて印刷する方法について説明する。図９の処理は、図２のＭＰＵ１０１０がＲＯＭ１０３０に記憶されている制御プログラムに基づいて、ＲＡＭ１０２０を作業領域として使用し各部を制御しながら実行するものである。
【００８４】
［ステップＳ１０〜５０］
図９のステップＳ１０からステップＳ５０までの処理は、図４に示す実施形態２のステップＳ１０からステップＳ５０までの処理と同様であるためその説明は重複するので省略する。
【００８５】
［ステップＳ６０］
次に、ステップＳ６０において、ＭＰＵ１０１０はＲＦＩＤの記録情報の解析を行い、破棄が必要な情報、たとえば、プライバシーに係る情報や機密情報である、（１）印刷用紙Ｐの品番を特定する情報（ＪＡＮコード等）、（２）印刷用紙Ｐ上に記録される印刷情報に関連する情報（印刷画像ファイル名等）、（３）個人に関する情報（画像作成者、印刷者、等）、などの情報が書き込まれているか否かの判定を行う（図１３参照）。
【００８６】
［ステップＳ７１〜９０］
ステップＳ６０において、破棄が必要な情報が書き込まれてあると判定した場合は、ステップＳ７１へ進み、ステップＳ７１，Ｓ８０の処理を行ってからステップＳ９０へ進む。ここで、ステップＳ７１〜９０の処理は、図４で説明したステップＳ７１〜９０の処理と同等であり、重複するのでその説明を省略する。
【００８７】
また、ステップＳ６０において、破棄が必要な情報が書き込まれていない、すなわち情報が空あるいは破棄が必要な情報の無いＲＦＩＤタグであると判定された場合には、ＲＦＩＤタグの関連の情報を付加することなく、ステップＳ９０へジャンプし印刷処理を行う。
【００８８】
＜まとめ＞
以上説明したように、本実施形態のインクジェットプリンタでは、印刷用紙ＰのＲＦＩＤタグが所定の情報すなわち有意情報を記録している場合おいてのみ、ＲＦＩＤタグ付きを表わす画像やＲＦＩＤタグ切断補助線をホストからの記録データに重畳させて印刷画像データを作成し印刷を行うことにより、印刷物にＲＦＩＤタグ無効化の必要やその切り取り位置を示すことが可能となる。また、印刷用紙ＰのＲＦＩＤタグが所定の情報を記録していない場合は、通常の用紙として印刷を行うことが可能となる。
【００８９】
そのため、本画像形成装置のユーザは、ＲＦＩＤタグ付記録媒体が不要になり廃棄する場合には、ＲＦＩＤタグの破棄を判断でき、例えば予め記録媒体上に印刷された切断補助線に沿ってＲＦＩＤタグを切断しＲＦＩＤタグのメモリに含まれる情報を無効（読みとり不能）にしてから安心して記録媒体を廃棄することができる。
【００９０】
なお、本実施形態の説明では、図９のフローチャートに示される一連の処理がインクジェットプリンタ１０００側で行われる例を用いて説明したが、本発明はこの例に限られるものではなく、例えば、図９のフローチャートに示される一連の処理のすべて、または、一部は、ホストコンピュータＨＣ側のプリンタドライバＰＤによって実行される構成としてもよい。
【００９１】
また、本実施形態の説明では、ＲＦＩＤタグ切断補助線の画像データを、記録データと同じ印刷面に重畳させるものとして説明されたが、これに限るものではない。ＲＦＩＤタグ付きを表わす画像やＲＦＩＤタグ切断補助線の画像を記録データの印刷面の裏面に印刷しても良い。
【００９２】
＜実施形態５の画像形成装置の構成例：画像の重なりの判別＞
［本実施形態の特徴］
本実施形態のインクジェットプリンタは、実施形態２のインクジェットプリンタと同様に、記録媒体にＲＦＩＤタグが付いている場合にＲＦＩＤタグの切断補助線をホストコンピュータからの画像に重畳させて印刷することにより、記録媒体上にＲＦＩＤタグを無効化するための切断補助線を印刷することができるが、その際に、ホストコンピュータから送出された、記録すべき文字や画像のデータの印刷範囲とＲＦＩＤタグ切断補助線の印刷範囲とが重なるかどうかを判定して、重ならない場合においてのみＲＦＩＤタグ切断補助線を印刷することを特徴とする。
【００９３】
以下、本実施形態のインクジェットプリンタについて説明するが、本実施形態のインクジェットプリンタは実施形態２のインクジェットプリンタと類似するので、共通する図およびその内容についての説明は省略し、以下異なる点についてのみ説明する。
【００９４】
［ＲＦＩＤタグ付き用紙上に切断補助線の印刷：図１０］
次に、図１０のフローチャートを参照しながら、本実施形態のインクジェットプリンタ１０００を用いて印刷用紙Ｐ（ＲＦＩＤタグ付記録媒体）に画像を印刷する際に、不要となったＲＦＩＤタグを簡単に切断できる切断補助線を画像と合わせて印刷する方法について説明する。図１０の処理は、図２のＭＰＵ１０１０がＲＯＭ１０３０に記憶されている制御プログラムに基づいて、ＲＡＭ１０２０を作業領域として使用し各部を制御しながら実行するものである。
【００９５】
［ステップＳ１０〜７１：図１０］
図１０のステップＳ１０からステップＳ７１までの処理は、図４に示す実施形態２のステップＳ１０からステップＳ７１までの処理と同様であるためその説明は重複するので省略する。
【００９６】
［ステップＳ７２：図１０］
次に、ステップＳ７２において、ＭＰＵ１０１０はホストコンピュータＨＣ１５００から送出された、記録すべき文字や画像のデータの印刷範囲とＲＦＩＤタグ切断補助線が重なるかどうかを判定する。この重なり判定の詳細を印刷用紙Ｐの図（図１１）とフローチャート（図１２）とを用いて説明する。
【００９７】
［重なり判定：図１１］
図１１は、印刷用紙Ｐ上に印刷される印刷データの印刷範囲とＲＦＩＤタグ切断補助線の例を示した図である。８０００は印刷用紙Ｐであり、８０１０は印刷用紙Ｐ上に印刷される印刷データの範囲を示す。すなわち印刷データの範囲は点ＰＲＱＳで結ばれた長方形である。８０２０はＲＦＩＤタグ切断補助線であり、点ＡＢを結んだ直線である。各々の点Ａ、Ｂ、Ｐ、Ｑ、Ｒ、Ｓ、はそれぞれ点Ｏを基準にしたＸ、Ｙ方向のそれぞれの座標（Ｘａ、Ｙａ）、（Ｘｂ、Ｙｂ）、（Ｘｐ、Ｙｐ）、（Ｘｑ、Ｙｑ）、（Ｘｑ、Ｙｐ）、（Ｘｐ、Ｙｑ）として表すことができる。これら、上記、点ＰＲＱＳで結ばれた印刷データの範囲：８０１０と点ＡＢを結んだＲＦＩＤタグ切断補助線８０２０が重なりあうか否かを判定する一連の流れを、図１２を用いて説明する。
【００９８】
［重なり判定の処理：図１２］
［ステップＳ９０１０：図１２］
ＭＰＵ１０１０は、ステップＳ９０１０において、点Ａ、点Ｂの両方が長方形ＰＲＱＳの内部に入っているか否かを判定する。点Ａ、点Ｂの両方が長方形ＰＲＱＳの内部に入っていると判定された場合には、直線ＡＢは長方形ＰＲＱＳと重なり合うと判定され、Ｓ９２００へジャンプする。また、ステップＳ９０１０において、点Ａ、点Ｂの何れか一方でも長方形ＰＲＱＳの内部にいないと判定された場合にはステップＳ９０２０へ遷移する。
【００９９】
［ステップＳ９０２０〜９０４０：図１２］
次に、ステップＳ９０２０において、直線ＡＢを表す式ｙ=αｘ＋βを求めてから、ステップＳ９０３０に進み、ＭＰＵ１０１０は、線AB：ｙ=αｘ＋βと線ＰＳ：ｘ＝Ｘｐが交差しているか否かを判定する。具体的には、ｙ=αｘ＋βにｘ＝Ｘｐを代入することにより、ｙ座標ｙ=α・Ｘｐ＋βが求まり、線ＡＢ、線ＰＳの交点（Ｘｐ、α・Ｘｐ＋β）が求められる。次に、ステップＳ９０４０において、この値が点Ｐ、点Ｓの間に位置するか否かを判定することによって、線ＡＢと線ＰＳが交差しているか否かを判定する。ステップＳ９０４０において、線ＡＢと線ＰＳが交差していると判定された場合は、直線ＡＢは長方形ＰＲＱＳと重なり合うと判定され、ステップＳ９２００へジャンプする。また、ステップＳ９０４０において、線ＡＢと線ＰＳが交差していないと判定された場合にはＳ９０５０へ遷移する。
【０１００】
［ステップＳ９０５０〜９３００：図１２］
次に、ステップＳ９０５０〜ステップＳ９０６０において、ステップＳ９０３０〜ステップＳ９０４０における線ＡＢと線ＰＳが交差しているか否かの判定を行ったのと同様に、線ＡＢと線ＲＱが交差しているか否かの判定を行い、次に、ステップＳ９０７０〜ステップＳ９０８０において、ステップＳ９０３０〜ステップＳ９０４０における線ＡＢと線ＰＳが交差しているか否かの判定を行ったのと同様に、線ＡＢと線ＰＲが交差しているか否かの判定を行い、次に、ステップＳ９０９０〜ステップＳ９１００において、ステップＳ９０３０〜ステップＳ９０４０における線ＡＢと線ＰＳが交差しているか否かの判定を行ったのと同様に線ＡＢと線ＳＱが交差しているか否かの判定を行う。これらのうち何れかひとつでも交差していると判定された場合は、直線ＡＢは長方形ＰＲＱＳと重なり合うと判定され、ステップＳ９２００へジャンプする。一方、これらのうちのすべてにおいて交差していないと判定された場合は、直線ＡＢは長方形ＰＲＱＳと重なり合わないと判定されステップＳ９３００へ遷移する。
【０１０１】
以上説明した一連の処理により、図１０のステップＳ７２において、ＭＰＵ１０１０はホストコンピュータＨＣ１５００から送出された、記録すべき文字や画像のデータの印刷範囲とＲＦＩＤタグ切断補助線が重なるかどうかを判定することができる。
【０１０２】
［ステップＳ７４，Ｓ８０，Ｓ９０：図１０］
次に、ＭＰＵ１０１０は、図１０のステップＳ７４において、上記判定の結果重なると判定した場合は、ステップＳ８０の印刷画像合成処理をスキップして、ステップＳ９０の印刷処理へジャンプする。一方、ステップＳ７４において、ＭＰＵ１０１０は上記判定の結果重ならないと判定した場合は、ステップＳ８０へ遷移して補助線ＡＢをＲＦＩＤタグ切断補助線として記録データ上に画像合成する。次に、ＭＰＵ１０１０は、ステップＳ９０において、合成した記録データの印刷を行う。ステップＳ９０の詳細は実施形態１又は２と同等のため説明を省略する。
【０１０３】
＜まとめ＞
以上説明したように、本実施形態のインクジェットプリンタでは、ホストコンピュータＨＣ１５００から送出された、記録すべき文字や画像の記録データの印刷範囲とＲＦＩＤタグ切断補助線が重なるかどうかを判定して、重ならない場合においてのみＲＦＩＤタグ切断補助線を印刷することが可能となる。
【０１０４】
なお、本実施形態は、図１０、図１２のフローチャートに示される一連の処理がインクジェットプリンタ１０００側で行われるものとして説明したが、本発明はこの例に限られるものではなく、例えば、これに限られるものではない。１０９、図１２のフローチャートに示される一連の処理のすべて、または、一部は、ホストコンピュータＨＣ側のプリンタドライバＰＤによっても実行される構成としてもよい。
【０１０５】
また、本実施形態の説明では、ＲＦＩＤタグ切断補助線の画像データを、記録データと同じ印刷面に重畳させるものとして説明されたが、これに限るものではない。ＲＦＩＤタグ切断補助線の画像データを記録データの印刷面の裏面に印刷しても良い。この場合、裏面にＲＦＩＤタグ切断補助線を印刷することにより、常時ＲＦＩＤタグ切断補助線と記録データの印刷範囲の重なりを避けることが可能となる。
【０１０６】
＜実施形態６の画像形成装置の構成例：ＲＦＩＤタグへの書き込み＞
［本実施形態の特徴］
本実施形態のインクジェットプリンタは、実施形態１又は２のインクジェットプリンタと同様に、記録媒体にＲＦＩＤタグが付いている場合に、ＲＦＩＤタグ付きを表わす画像やＲＦＩＤタグの切断補助線をホストコンピュータからの画像に重畳させて印刷することにより、記録媒体上のＲＦＩＤタグを無効化するための画像を印刷することができるが、その際に、ＲＦＩＤに所定のユーザ情報の書込みを行うことが可能である場合において、ユーザデータの書込みが行われた場合においてのみ、ＲＦＩＤタグ付きを表わす画像やＲＦＩＤタグ切断補助線の印刷を行うことを特徴とする。
【０１０７】
以下、本実施形態のインクジェットプリンタについて説明するが、本実施形態のインクジェットプリンタは実施形態１又は２のインクジェットプリンタと類似するので、共通する図およびその内容についての説明は省略し、以下異なる点についてのみ説明する。
【０１０８】
［データテーブルの説明：図１３］
図１３は、図２Ａの２０１０に示す印刷用紙Ｐ上のＲＦＩＤタグ２０２０のＩＣ部２０４０内部にある書き換え可能な不揮発性メモリ部のデータの構成を示したテーブルである。データテーブルは印刷用紙Ｐにあらかじめ記録されている用紙の属性情報部Ｄ００１０と、ユーザが印刷時に記録することができるユーザ情報部Ｄ００２０とに分かれている。
【０１０９】
属性情報部Ｄ００１０をさらに細かく見ると、ＲＦＩＤタグの取付位置情報であるＰｗｘ、Ｐｗｙ、Ｉｐｘ、Ｉｐｙ、Ｉｗｘ、Ｉｗｙ（Ｄ１０１０）と印刷用紙ＰのＪＡＮコードである国コード、メーカーコード、アイテムコード、チェックデジット（Ｄ１０２０）がそれぞれ記録されている。一方、ユーザ情報部Ｄ００２０をさらに細かく見ると、画像情報である撮影機器名、撮影日、ファイル名、露出値、等（Ｄ１０３０）と、印刷情報であるプリンタ名、印刷日、印刷パラメーター、等（Ｄ１０４０）の値を記録するためのフィールドがある。これらのユーザ情報は、ホストコンピュータ１５００上のプリンタドライバ１５１０がプリントするファイルの撮影属性情報（たとえばＥｘｉｆ情報）やプリンタドライバの印刷設定パラメーター、などから情報を収集し、各フィールドに格納すべき値を決定する。
【０１１０】
［ＲＦＩＤタグ付き用紙上に切断補助線の印刷：図１４］
次に、図１４のフローチャートを参照しながら、本実施形態のインクジェットプリンタ１０００を用いて印刷用紙Ｐ（ＲＦＩＤタグ付記録媒体）に画像を印刷する際に、ＲＦＩＤタグ付きを表わす画像や不要となったＲＦＩＤタグを簡単に切断できる切断補助線を画像と合わせて印刷する方法について説明する。図１４の処理は、図２ＡのＭＰＵ１０１０がＲＯＭ１０３０に記憶されている制御プログラムに基づいて、ＲＡＭ１０２０を作業領域として使用し各部を制御しながら実行するものである。
【０１１１】
［ステップＳ１０］
インクジェットプリンタ１０００によって記録すべき記録データは、ホストコンピュータＨＣ１５００から送出され、入出力インタフェース１０６０を介して、ＲＡＭ１０２０の受信バッファＲＢに蓄えられる。
【０１１２】
［ステップＳ１５］
次に、ホストコンピュータＨＣ１５００上のプリンタドライバ１５１０によって集められたユーザ情報は、ホストコンピュータＨＣ１５００から送出され、入出力インタフェース１０６０を介して、ＲＡＭ１０２０の受信バッファＲＢに蓄えられる。この際、ＭＰＵ１０１０からは、正常にデータが転送されていることを確認するための信号や、プリンタ１０００の動作状態を示す信号等がホストコンピュータ１５００に返送される。
【０１１３】
［ステップＳ２０〜３０］
次のステップであるステップＳ２０〜３０は、実施形態１又は２で説明した処理と同等であるため重複するのでここでの説明を省略する。
【０１１４】
［ステップＳ３３］
次に、ステップＳ３３においてＭＰＵ１０１０はＲＡＭ１０２０の受信バッファＲＢに蓄えられている情報を取得し、ユーザ情報が正しく含まれているか否かの判定を行う。ステップＳ３３において、ユーザ情報が正しく含まれている場合は、ユーザデータありと判定されて、ステップＳ３５へ遷移する。一方、ステップＳ３３において、ユーザ情報が正しく含まれていない場合は、ユーザデータ無しと判定されて、ステップＳ９０へジャンプし、ＲＦＩＤ無効化切り取り補助線を印刷画像に合成すること無しに記録データを印刷する。
【０１１５】
［ステップＳ３５〜９０］
次に、ステップＳ３５において、ＭＰＵ１０１０は入出力インタフェース１０６０を介して接続されるＲＦＩＤタグＷ／Ｒを介して、印刷用紙ＰのＲＦＩＤタグへユーザ情報をユーザ情報フィールドＤ００２０に書込みを行い、ユーザ情報フィールドＤ００２０への書込みが完了したら、ステップＳ４０へ遷移する。なお、ステップＳ４０〜９０までの処理は実施形態２で説明した処理と同様であるため重複するのでその説明省略する。尚、実施形態１の修正も同様である。
【０１１６】
＜まとめ＞
以上説明したように、本実施形態のインクジェットプリンタでは、ホストコンピュータＨＣ１５００から送出された、記録すべき文字や画像のデータとともに、ＲＦＩＤへ書き込むユーザ情報をも取得し、このユーザ情報がＲＦＩＤへ書き込まれた場合にのみ、ＲＦＩＤタグ付きを表わす画像やＲＦＩＤタグ切断補助線を印刷することが可能となる。これにより、本画像形成装置のユーザは、ＲＦＩＤタグ付記録媒体が不要になり廃棄する場合には、ＲＦＩＤタグ内に有意情報の一つであるところのユーザ情報が記録されている場合にのみ、ＲＦＩＤタグの破棄を認識し、必要に応じてハサミ等の切断用具を用いてＲＦＩＤタグ切断補助線に沿って印刷用紙Ｐを切断することにより、ＲＦＩＤタグを無効化し、安心して印刷用紙Ｐを廃棄することが可能となる。
【０１１７】
なお、本実施形態は、図１４のフローチャートに示される一連の処理がインクジェットプリンタ１０００側で行われるものとして説明されたが、これに限られるものではない。図１４のフローチャートに示される一連の処理のすべて、または、一部は、ホストコンピュータＨＣ側のプリンタドライバＰＤによっても実行され得る。
【０１１８】
なお、本実施形態は、ＲＦＩＤタグ付きを表わす画像やＲＦＩＤタグ切断補助線の画像データを、記録データと同じ印刷面に重畳させるものとして説明されたが、これに限るものではない。ＲＦＩＤタグ切断補助線の画像データを記録データの印刷面の裏面に印刷しても良い。
【０１１９】
＜実施形態７の画像形成装置の構成例：ＲＦＩＤタグへの書き込み表示＞
［本実施形態の特徴］
本実施形態のインクジェットプリンタは、実施形態１や２のインクジェットプリンタと同様に、記録媒体にＲＦＩＤタグが付いている場合に、ＲＦＩＤタグ付きを表わす画像やＲＦＩＤタグの切断補助線をホストコンピュータからの画像に重畳させて印刷することにより、記録媒体上にＲＦＩＤタグを無効化するための画像を印刷することができるが、その際に、ＲＦＩＤに所定のユーザ情報の書込みを行うことが可能である場合において、ユーザデータの書込みが行われた場合にはユーザデータ書込み済みマークを印刷し、ユーザデータの書込みが行われなかった場合にはユーザデータ未書込みマークを印刷することを特徴とする。以下、本実施形態のインクジェットプリンタについて説明するが、本実施形態のインクジェットプリンタは実施形態１のインクジェットプリンタと類似するので、共通する図およびその内容についての説明は省略し、以下異なる点についてのみ説明する。
【０１２０】
［データテーブルの説明：図１３］
本実施形態においてもＲＦＩＤタグ内部の不揮発性メモリ部のデータの構成を示したテーブルとして図１２のデータテーブルを用いる。データテーブルの各フィールドの説明は実施形態６で説明した通りである。これらのユーザ情報は、ホストコンピュータ１５００上のプリンタドライバ１５１０がプリントするファイルの撮影属性情報（たとえばＥｘｉｆ情報）やプリンタドライバの印刷設定パラメーター、などから情報を収集し、各フィールドに格納すべき値を決定する。
【０１２１】
［ＲＦＩＤタグ付き用紙上に切断補助線の印刷：図１５］
次に、図１５のフローチャートを参照しながら、本実施形態のインクジェットプリンタ１０００を用いて印刷用紙Ｐ（ＲＦＩＤタグ付記録媒体）に画像を印刷する際に、不要となったＲＦＩＤタグを簡単に切断できる切断補助線を画像と合わせて印刷する方法について説明する。図１５の処理は、図２のＭＰＵ１０１０がＲＯＭ１０３０に記憶されている制御プログラムに基づいて、ＲＡＭ１０２０を作業領域として使用し各部を制御しながら実行するものである。
【０１２２】
［ステップＳ１０〜３０］
図１５のステップＳ１０〜ステップＳ３０までの処理は第５の実施形態と同様であるため説明を省略する。
【０１２３】
［ステップＳ３３］
次に、ステップＳ３３において、ユーザデータありと判定された場合はステップＳ３５へ遷移する。また、ステップＳ３３において、ユーザデータ無しと判定された場合はステップＳ７７へジャンプする。
【０１２４】
［ステップＳ３５］
次に、ステップＳ３５において、ＭＰＵ１０１０は入出力インタフェース１０６０を介して接続されるＲＦＩＤタグＷ／Ｒを介して、印刷用紙ＰのＲＦＩＤタグへユーザ情報をユーザ情報フィールドＤ００２０に書込みを行う。ユーザ情報フィールドＤ００２０への書込みが完了したら、次に、ステップＳ７５へ遷移する。
【０１２５】
［ステップＳ７５または７７］
次に、ステップＳ７５において、ＭＰＵ１０１０はあらかじめＲＯＭ１０３０に格納されている、図１６のＭ１０に示すような書き込み済みマークのビットマップデータを読み込み、印刷画像情報として作成してからステップＳ８０に進む。一方ステップＳ７７では、ＭＰＵ１０１０はあらかじめＲＯＭ１０３０に格納されている、図１６のＭ２０に示すような未書込みマークのビットマップデータを読み込み、印刷画像情報として作成してからステップＳ８０に進む。
【０１２６】
［ステップＳ８０〜９０］
次に、ステップＳ８０において、ＭＰＵ１０１０はステップＳ７５もしくはステップＳ７７において生成された画像情報を記録データ上に重畳させる。次に、重畳したデータをステップＳ９０において印刷される。ステップＳ９０の詳細は実施形態１又は２と同等のため説明を省略する。
【０１２７】
＜まとめ＞
以上説明したように、本実施形態のインクジェットプリンタでは、ホストコンピュータＨＣ１５００から送出された、記録すべき文字や画像のデータとともに、ＲＦＩＤへ書き込むのユーザ情報をも取得し、このユーザ情報がＲＦＩＤへ書き込まれた場合にはＲＦＩＤタグ情報書込み済みマークを印刷し、ユーザ情報がＲＦＩＤへ書き込まれない場合には有意情報が記憶されていないことを示すＲＦＩＤタグ情報未書込みマークを印刷する。これにより、本画像形成装置のユーザは、ＲＦＩＤタグ付記録媒体に組み込まれたＲＦＩＤ内部に所定の情報が書き込まれているかを容易に判断することが可能となる。
【０１２８】
なお、本実施形態は、図１５のフローチャートに示される一連の処理がインクジェットプリンタ１０００側で行われるものとして説明されたが、これに限られるものではない。図１５のフローチャートに示される一連の処理のすべて、または、一部は、ホストコンピュータＨＣ側のプリンタドライバＰＤによっても実行され得る。
【０１２９】
なお、本実施形態は、書き込み済みマークおよび未書込みマークの画像データを、記録データと同じ印刷面に重畳させるものとして説明されたが、これに限るものではない。書き込み済みマークおよび未書込みマークの画像データを記録データの印刷面の裏面に印刷しても良い。
【０１３０】
＜実施形態８の画像形成装置の構成例：裏面へのＲＤＩＤタグ表示＞
［本実施形態の特徴］
本実施形態は、上記実施形態１乃至７の最後に記載した、ＲＤＩＤタグ表示画像を記録データの印刷面の裏面に印刷する場合の手順を示すものであり、上記実施形態への変更部分を説明する。
【０１３１】
［ＲＦＩＤタグ付き用紙の裏面への印刷：図１７］
図１７に、ＲＤＩＤタグ表示画像を裏面への印刷も可能な場合の変更部分のフローチャートを示す。尚、図１７の"Ｓ７ｎから"、"Ｓ３０から"は、それぞれの実施形態のＳ７０，Ｓ７１，Ｓ７５，Ｓ７７からの進行、Ｓ３０からの進行を示している。
【０１３２】
ステップＳ１００で、ＲＤＩＤタグ表示画像を裏面に印刷するか否かを、ユーザの指定やホストからのデータでの指定に基づく、図２Ｂの裏面印刷フラグ１０２８により判定する。裏面印刷でなければ（裏面印刷フラグ１０２８がＯＦＦ）、ステップＳ８０に進んで、実施形態１で示した印刷画像合成を行なって、ステップＳ９０で合成画像を印刷する。裏面印刷であれば（裏面印刷フラグ１０２８がＯＮ）、ステップＳ８０'に進んで、印刷画像を合成するのでなく、それぞれを表面画像、裏面画像として生成する。ステップＳ９０'では、作成された表面画像と裏面画像で両面印刷を行なう。
【０１３３】
尚、記録データが両面印刷である場合、ステップＳ９０では裏面に記録データのみが印刷され、ステップＳ９０'では裏面に記録データとＲＤＩＤタグ表示画像の合成画像が印刷される。
【０１３４】
［他の実施形態］
本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【０１３５】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１３６】
さらに、記録媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１３７】
又、自装置にセットされたＣＤ−ＲＯＭ、或いは、インターネット等の外部供給源から、前述した実施形態の機能を実現する為のプログラムデータを、自装置のメモリにダウンロードし、前述した実施形態の機能が実現されるような形態も本発明に包含される。
【０１３８】
本発明を上記記録媒体に適用する場合、その記録媒体には、先に説明したフローチャート（図３〜５，９−１０，１２，１４−１５，１７）に対応するプログラムコードが格納されることが好ましい。
【図面の簡単な説明】
【０１３９】
【図１】本実施形態のＲＦＩＤタグ付き印刷用紙の外観図である。
【図２Ａ】本実施形態のインクジェットプリンタの構成例を示すブロック図である。
【図２Ｂ】ＲＡＭ及びＲＯＭの記憶構成例を示す図である。
【図３】実施形態１の印刷処理を示すフローチャートである。
【図４】図３のステップＳ８０のＲＦＩＤタグ表示画像の記録データ上への合成における位置制御を示すフローチャートである。
【図５】実施形態２又は３の印刷処理を示すフローチャートである。
【図６】実施形態２のＲＦＩＤタグ付き印刷用紙の外観図およびＲＦＩＤタグに書き込まれている位置情報の値の例を示すテーブルである。
【図７】ＲＦＩＤタグ切断補助線である補助線ＡＢを示した図である。
【図８】ＲＦＩＤタグ付き印刷用紙の外観図である。
【図９】実施形態４の印刷処理を示すフローチャートである。
【図１０】実施形態５の印刷処理を示すフローチャートである。
【図１１】印刷データの印刷範囲とＲＦＩＤタグ切断補助線の例を示した図である。
【図１２】重なり判定の処理の詳細を示すフローチャートである。
【図１３】ＲＦＩＤタグのＩＣ部内部にある書き換え可能な不揮発性メモリ部のデータの構成を示したテーブルである。
【図１４】実施形態６の印刷処理を示すフローチャートである。
【図１５】実施形態７の印刷処理を示すフローチャートである。
【図１６】書き込み済みマークおよび未書込みマークの例を示す図である。
【図１７】実施形態８の裏面印刷処理を示すフローチャートである。
【図１】
2006218773.tif 000003
【図２Ａ】
2006218773.tif 000004
【図２Ｂ】
2006218773.tif 000005
【図３】
2006218773.tif 000006
【図４】
2006218773.tif 000007
【図５】
2006218773.tif 000008
【図６】
2006218773.tif 000009
【図７】
2006218773.tif 000010
【図８】
2006218773.tif 000011
【図９】
2006218773.tif 000012
【図１０】
2006218773.tif 000013
【図１１】
2006218773.tif 000014
【図１２】
2006218773.tif 000015
【図１３】
2006218773.tif 000016
【図１４】
2006218773.tif 000017
【図１５】
2006218773.tif 000018
【図１６】
2006218773.tif 000019
【図１７】
2006218773.tif 000020